(57)【要約】【課題】筐体内の装置に組み込まれた操作レバーを筐体外から操作し得るコンロを、美観の低下及び異物の進入を抑えやすく、つまみ部材が外れてしまうことを防ぎやすい構成で実現する。【解決手段】コンロ１は、天板部６の前端側の所定位置に、天板部６の上面部６Ａよりも下側に垂れ下がる垂下部６Ｂが形成され、筐体部２の前面部（前パネル４０）において垂下部６Ｂの裏面部と対向する対向位置に、操作レバー６４が挿し通されるスリット（第２スリット５２）が形成されている。操作レバー６４のレバー本体６６に取り付けられるつまみ部材６８は、垂下部８Ｂと対向して配置される取付部７０と、垂下部６Ｂの裏面部と筐体部２の前面部（前パネル４０）との間を通って取付部７０よりも下方側に延びる下方延設部７２と、垂下部６Ｂの下端部よりも下側の位置で前側に露出して配置されるつまみ部７４とを備える【選択図】図１３
2018021690.tif 000002
【特許請求の範囲】
【請求項１】
少なくとも前面部と一対の側壁部とを備える筐体部と、
前記筐体部に対して上側から装着される天板部と、
前記筐体部内に収容されるバーナと、
前記前面部の後方に配置される装置本体と前記装置本体の前方側に延出する操作レバーとを備え、前記操作レバーの左右方向の変位に応じて前記バーナのガス供給量を調整する調整装置と、
を有するコンロであって、
前記操作レバーは、前記装置本体の前方側に延出するレバー本体と、前記レバー本体の先端部に取り付けられるつまみ部材とを具備し、
前記天板部の前端側の所定位置には、前記天板部の上面部よりも下側に垂れ下がる垂下部が形成され、
前記筐体部は、前記前面部の上端部側において前記垂下部の裏面部と対向する対向位置に、前記操作レバーが挿し通されるスリットが形成され、
前記つまみ部材は、前記レバー本体の先端部に対して前方側から取り付けられるとともに前記垂下部の裏面部と対向して配置される取付部と、前記取付部と一体的に構成されるとともに前記垂下部の裏面部と前記筐体部の前記前面部との間を通って前記取付部よりも下方側に延びる下方延設部と、前記下方延設部と一体的に構成され且つ前記垂下部の下端部よりも下側の位置で前側に露出して配置されるつまみ部とを含むコンロ。
【請求項２】
前記つまみ部は、前記垂下部の下端部よりも下側の位置で前側に突出する突出部を有し、
前記突出部と前記垂下部の下端部とが上下に近接して配置されている請求項１に記載のコンロ。
【発明の詳細な説明】
【技術分野】
【０００１】
本発明は、コンロに関するものである。
【背景技術】
【０００２】
従来、コンロバーナやグリルユニット等を備えたコンロが実用に供されている。この種のコンロは、筐体内部にコンロバーナやグリルユニットを配設するとともに、筐体内部における前パネルの裏側位置にガス供給量を調整するガス供給装置を配設しており、コンロバーナやグリルの火力調整ができるように構成されている。ガス供給装置は、例えば水平方向にスライド操作可能な操作レバーを備えており、この操作レバーが使用者に操作されることによりガス供給量が調整される。例えば、ガス流路内に操作レバーと連動するニードル弁が設けられた構造のものでは、操作レバーの操作に応じてニードル弁が上下動することでガス流路内の流路面積（開度）が増減され、コンロバーナ等へのガス供給量が調整される。
【先行技術文献】
【特許文献】
【０００３】
【特許文献１】特開２０１３−２１３６２８号公報
【発明の概要】
【発明が解決しようとする課題】
【０００４】
ところで、この種のコンロでは、操作レバーの操作を使用者が容易に行えるように、操作レバー又はこれに連結された部材を機器外部に露出させる必要がある。そのためには、操作レバーを導くための経路（長孔部等）を筐体に設けなければならない。例えば、特許文献１で開示されるコンロでは、操作レバー（火力調整レバー６０）を挿通させて外部に延出させるための長孔部が前面パネルに形成され、長孔部の開口領域は、操作レバーを移動させ得る十分な大きさとなっている。
【０００５】
しかし、特許文献１のように、筐体前面部の見えやすい位置に大きな長孔部を形成してしまうと、長孔部が丸見えになることによってコンロの美観を損ねたり、長孔部を介して煮汁等が筐体内部に進入したりすることが懸念される。また、つまみ部材（火力調整つまみ１５Ａ）に強い引き抜き力が加えられると、つまみ部材が先端部から外れ、紛失等の不具合を招く虞もある。
【０００６】
本発明は、上述した課題を解決するためになされたものであり、筐体内の装置に組み込まれた操作レバーを筐体外から操作し得るコンロを、美観の低下及び異物の進入を抑えやすく、且つつまみ部材が外れてしまうことを防ぎやすい構成で実現することを目的とするものである。
【課題を解決するための手段】
【０００７】
本発明の一例であるコンロは、
少なくとも前面部と一対の側壁部とを備える筐体部と、
前記筐体部に対して上側から装着される天板部と、
前記筐体部内に収容されるバーナと、
前記前面部の後方に配置される装置本体と前記装置本体の前方側に延出する操作レバーとを備え、前記操作レバーの左右方向の変位に応じて前記バーナのガス供給量を調整する調整装置と、
を有するコンロであって、
前記操作レバーは、前記装置本体の前方側に延出するレバー本体と、前記レバー本体の先端部に取り付けられるつまみ部材とを具備し、
前記天板部の前端側の所定位置には、前記天板部の上面部よりも下側に垂れ下がる垂下部が形成され、
前記筐体部は、前記前面部の上端部側において前記垂下部の裏面部と対向する対向位置に、前記操作レバーが挿し通されるスリットが形成され、
前記つまみ部材は、前記レバー本体の先端部に対して前方側から取り付けられるとともに前記垂下部の裏面部と対向して配置される取付部と、前記取付部と一体的に構成されるとともに前記垂下部の裏面部と前記筐体部の前記前面部との間を通って前記取付部よりも下方側に延びる下方延設部と、前記下方延設部と一体的に構成され且つ前記垂下部の下端部よりも下側の位置で前側に露出して配置されるつまみ部とを含む。
【発明の効果】
【０００８】
上記コンロは、天板部の前端側の所定位置に、天板部の上面部よりも下側に垂れ下がる垂下部が形成され、筐体部の前面部の上端部側において垂下部の裏面部と対向する対向位置には、操作レバーが挿し通されるスリットが形成されている。このような形でスリットが形成されているため、筐体内の調整装置に組み込まれた操作レバーを変位可能な形で外部に導くことができ、筐体外から当該調整装置に対して操作力を伝達することが可能となる。また、操作レバーが挿し通されるスリットは、天板部に形成された垂下部に隠れた形で配置されるため、スリットが前側から見えにくくなり、スリットが丸見えになることに起因する美観の低下が抑えられる。更には、スリットが垂下部の裏面部と対向して配置されるため、天板部の上面部から垂下部側に煮汁等の異物が落下又は流下したとしても、この異物がスリット内に入り込みにくくなる。
【０００９】
更に、つまみ部材は、レバー本体の先端部に対して前方側から取り付けられるとともに垂下部の裏面部と対向して配置される取付部と、取付部と一体的に構成されるとともに垂下部の裏面部と筐体部の前面部との間を通って取付部よりも下方側に延びる下方延設部と、下方延設部と一体的に構成され且つ垂下部の下端部よりも下側の位置で前側に露出して配置されるつまみ部とを含んでいる。このように、つまみ部が垂下部の下端部よりも下側の位置で前側に露出して配置されるため、垂下部によってスリットを隠しつつ外部操作容易な形で操作レバーを配置することができる。また、つまみ部材は、レバー本体の先端部に対して前方側から取り付けられる構成で取付部が設けられているため、つまみ部材をレバー本体から取り外すためには取付部をレバー本体部の先端部から前方側に離脱させなければならないが、垂下部の裏面部と筐体部の前面部との間を通って下方側に延びる形で下方延設部が設けられているため、つまみ部材を前方側に移動させて取付部をレバー本体から取り外すことは困難となる。つまり、つまみ部材がレバー本体から外れてしまうことを防ぎやすくなる。
【図面の簡単な説明】
【００１０】
【図１】図１は、実施例１に係るコンロを例示する斜視図である。
【図２】図２は、実施例１のコンロにおいて天板部を取り外した状態を示す斜視図である。
【図３】図３は、実施例１のコンロの一部を分解して示す分解斜視図である。
【図４】図４は、実施例１のコンロの平面図である。
【図５】図５は、実施例１のコンロにおいて天板部を取り外した構成の平面図を部分的に拡大して示す拡大図である。
【図６】図６は、実施例１のコンロにおいて天板部及び前パネルを取り外した構成の平面図を部分的に拡大して示す拡大図である。
【図７】図７は、実施例１のコンロの正面図を部分的に拡大して示す拡大図である。
【図８】図８は、実施例１のコンロにおいて天板部を取り外した構成の正面図を部分的に拡大して示す拡大図である。
【図９】図９は、実施例１のコンロにおいて天板部及び前パネルを取り外した構成の正面図を部分的に拡大して示す拡大図である。
【図１０】図１０は、実施例１のコンロの側面図を部分的に拡大して示す拡大図である。
【図１１】図１１は、実施例１のコンロにおいて天板部を取り外した構成の側面図を部分的に拡大して示す拡大図である。
【図１２】図１２は、実施例１のコンロにおいて天板部及び前パネルを取り外した構成の側面図を部分的に拡大して示す拡大図である。
【図１３】図１３は、実施例１のコンロにおいて螺子部材、第１螺子孔部、第２螺子孔部の位置で縦方向に切断した切断面を概略的に示す断面図である。
【図１４】図１４は、図５のＢ−Ｂ断面を概略的に示す断面概略図である。
【図１５】図１５は、図５のＡ−Ａ断面を概略的に示す断面概略図である。
【図１６】図１６は、実施例１のコンロにおいて前パネルを筐体本体部に係止させた直後の状態を示す斜視図である。
【図１７】図１７は、実施例１のコンロにおいて前パネルを筐体本体部に係止させた後に若干起立させた状態を示す斜視図である。
【図１８】図１８は、実施例１のコンロの前パネルを概略的に示す斜視図である。
【図１９】図１９（Ａ）は、図１８の前パネルの右側面図であり、図１９（Ｂ）は、図１８の前パネルの左側面図である。
【発明を実施するための形態】
【００１１】
以下、本発明の望ましい例を示す。但し、本発明は、以下の例に限定されない。
【００１２】
つまみ部は、垂下部の下端部よりも下側の位置で前側に突出する突出部を有していてもよい。そして、突出部と垂下部の下端部とが上下に近接して配置されていてもよい。
【００１３】
この構成によれば、垂下部の下端部を目印としてつまみ部材の位置を把握しやすくなり、つまみ部材をつまみやすくなるため、操作性が向上する。
【００１４】
＜実施例１＞
以下、本発明を具現化した実施例１について、図面を参照して説明する。
（コンロの基本構成）
図１等を参照し、コンロ１の基本構成を説明する。
図１等で示すコンロ１は、テーブルコンロとして構成され、天板部６と装置本体１Ａを備え、装置本体１Ａの上端部に天板部６が固定された構成をなす。図２は、装置本体１Ａから天板部６を取り外した状態の外観を示すものである。
【００１５】
本明細書では、コンロ１が平坦な載置面に載置されたときの載置面と直交する方向が上下方向である。また、側壁部４Ａ、４Ｂが向かい合う方向が左右方向であり、上下方向及び左右方向と直交する方向が前後方向である。図４のように平面視したときの長手方向が左右方向となっており、短手方向が前後方向となっている。
【００１６】
装置本体１Ａは、図２のような構成をなし、コンロ１から天板部６を取り外した残りの部分を指す。装置本体１Ａは、外殻を構成する筐体部２、梁部材２０、右側バーナ１５、左側バーナ１６、ガス供給装置１５Ａ、ガス供給装置１６Ａ、グリル部１２などを備える。
【００１７】
筐体部２は、例えば金属材料によって構成され、上端部が開口する略直方体状に構成されている。この筐体部２は、コンロ１の外殻をなす部分であり、筐体本体部４と前パネル４０とによって構成され、上方側が開放した箱状形態をなす。
【００１８】
図２のように、筐体本体部４は、左右に配置される一対の側壁部４Ａ，４Ｂと、後端部に配置される後壁部４Ｃ、底壁部４Ｄとを備え、これら側壁部４Ａ，４Ｂ、後壁部４Ｃ、底壁部４Ｄが連結され、上方及び前方が開放した箱状形態をなす。筐体本体部４の一対の側壁部４Ａ，４Ｂの間には、後述するガスバーナ１０やグリル部１２などの各種部品が収容される。
【００１９】
前パネル４０は、筐体部２の前面部の一例に相当し、筐体本体部４及び梁部材２０に対して前側から装着される。図２の例では、筐体本体部４の左右両側に前パネル４０がそれぞれ装着され、２つの前パネル４０の間には、グリル部１２のグリル扉１２Ａが開閉可能に装着されている。
【００２０】
図３のように、梁部材２０は、筐体本体部４の内部に配置され、筐体本体部４内の前側の位置において左右方向に延びた形態で架設される架設部２２を備える。架設部２２の両端部は、筐体本体部４を構成する側壁部４Ａ，４Ｂのそれぞれにおける上側且つ前側の端部に連結されており、側壁部４Ａ，４Ｂを連結するフレームとして機能する。
【００２１】
図１、図３のように、天板部６は装置本体１Ａの上部に固定される部分であり、筐体部２に対して上側から装着される構成をなす。天板部６は、板状に構成された上面部６Ａと、上面部６Ａの周縁部から下方に垂れ下がる垂下部６Ｂとを備え、前パネル４０が装着された状態の筐体本体部４（図２の構成）の上部に装着される構成をなす。
【００２２】
図３のように、天板部６の上面部６Ａにおいて、後端部寄りの位置には、グリル排気口６Ｄが設けられている。グリル排気口６Ｄはグリル部１２（グリル庫）内の排気を行うための経路である。図２のように、グリル部１２は、装置本体１Ａの左右方向中央部付近に設置されるとともに、前後左右上下が囲まれた箱状形態をなし、上部後端側にはグリル部１２内の空間から連通する排気経路となる開口部１２Ｂが形成されている。グリル排気口６Ｄは、この開口部１２Ｂの上側に位置する。図１のように、グリル排気口６Ｄ（図３）には遮炎カバー７が設置されている。遮炎カバー７は複数の孔７Ａを備え、グリル部１２の内部からの炎のあふれを遮断する。
【００２３】
図１のように、グリル部１２のグリル扉１２Ａは、上述した２つの前パネル４０の間に設けられており、これら前パネル４０とともに、装置本体１Ａの前面部を構成する。グリル扉１２Ａは、装置本体１Ａの前面部の幅方向略中央に設けられ、グリル扉１２Ａの前面には矩形状の透明窓部が設けられている。グリル扉１２Ａはグリル部１２の前方側に引き出し可能とされており、使用者は取っ手をつかんでグリル扉１２Ａを前方に引き出すことにより、グリル部１２（グリル庫）内に収納された受け皿及び焼き網等を外部に取り出すことができる。
【００２４】
図２のように、筐体部２内には、右側バーナ１５、左側バーナ１６、コンロバーナ（図示略）が収容されている。図１のように、天板部６の上面部６Ａの左右両側には、円形状の一対の開口部が形成され、これら開口部を介して右側バーナ１５及び左側バーナ１６が上方に突出して配置されている。右側バーナ１５及び左側バーナ１６の各周囲には、五徳１８，１９が夫々設置されている。コンロ１の使用時には、五徳１８，１８の各上部にフライパン、鍋等の調理容器（図示略）が載置される。
【００２５】
ガス供給装置１５Ａは、右側バーナ１５の点火消火を行うと共に、右側バーナ１５にガスを供給する為の装置である。ガス供給装置１６Ａは、右側バーナ１５の点火消火を行うと共に、右側バーナ１５にガスを供給する為の装置である。
【００２６】
ガス供給装置１５Ａ、１６Ａはいずれもガス量調整装置６０を備える。また、グリルバーナへのガス供給経路にもガス量調整装置６０が設けられている。図５のように、ガス量調整装置６０は、前パネル４０（前面部）の後方に配置される装置本体６２と装置本体６２の前方側に延出する操作レバー６４とを備えるとともに装置本体６２などの大部分が前パネル４０の後方に配置され、操作レバー６４の左右方向の変位に応じてバーナのガス供給量を調整するように動作する。図５において、一方のガス量調整装置６０Ａは、右側バーナ１５へのガス量を調整するように動作し、他方のガス量調整装置６０Ｂは、図示しないグリルバーナへのガス量を調整するように動作する。
【００２７】
図１に示すように、装置本体１Ａの前面右側には、右側操作部が設けられている。右側操作部は右側の前パネル４０の近傍に配置された操作部であり、点火スイッチ８５，８７、操作レバー（火力調節レバー）６４を備える。点火スイッチ８５は右側バーナ１５の点火又は消火を行うための操作部であり、グリル扉１２Ａの右隣りに配置されている。点火スイッチ８７はグリル部１２内に設けられたグリルバーナ（図示略）の点火又は消火を行うための操作部であり、点火スイッチ８５の右隣りに配置されている。複数の操作レバー６４のうち、操作レバー６４Ａ（火力調節レバー）は、右側バーナ１５の火力調節を手動で行うための操作部であり、点火スイッチ８５の上方に配置されている。操作レバー６４Ｂ（火力調節レバー）は、グリルバーナの火力調節を手動で行うための操作部であり、点火スイッチ８７の上方に配置されている。
【００２８】
同様に、装置本体１Ａの前面左側には左側操作部が設けられている。左側操作部は左側の前パネル４０の近傍に配置された操作部であり、点火スイッチ８６、操作レバー（火力調節レバー）６４を備える。点火スイッチ８６は左側バーナ１６の点火又は消火を行うための操作部であり、グリル扉１２Ａの左隣りに配置されている。複数の操作レバー６４のうち、操作レバー６４Ｃ（火力調節レバー）は、左側バーナ１６の火力調節を手動で行うための操作部であり、点火スイッチ８６の上方に配置されている。
【００２９】
（前パネル、梁部材、操作レバーの詳細構造）
次に、前パネル４０、梁部材２０、操作レバー６４などの詳細構造について説明する。
なお、以下の説明では、装置本体１Ａの前面部右側に装着される前パネル４０及びその周辺の構造を重点的に説明するが、装置本体１Ａの前面部左側に装着される前パネル４０及びその周辺部も同様の特徴を有している。また、以下の説明では、複数の操作レバー６４のうち、グリルバーナの火力と調整する操作レバー６４Ｂの構造を重点的に説明するが、その他の操作レバー６４も同様の特徴を有している。
【００３０】
図２、図５、図８、図１１のように、前パネル４０は、梁部材２０に対して前側から起立状態で装着される構成をなす。前パネル４０の単体は図１８のような構成であり、前パネル４０の側面図は、図１９（Ａ）（Ｂ）のようになっている。前パネル４０は、前側の意匠パネルとして構成される板状の前板部４１と、この前板部４１の上端部から後方側に延びる板状の後方延出部４４とを備える。更に、前パネル４０は、前板部４１の両側部から後方側に延びる板状の側板部４２Ａ、４２Ｂと、前板部４１の下端部から後方に延びる下面部４３とを備える。
【００３１】
前板部４１は、前側に凸となるように湾曲した形態をなし、傾斜構造をなす傾斜部４１Ａ，４１Ｃと、垂直構造をなす対向部４１Ｂとを有する。傾斜部４１Ａ，４１Ｃは、装置本体１Ａの前面部において上下方向に対して傾斜して配置され、傾斜部４１Ａは、対向部４１Ｂと傾斜部４１Ｃの間に配置されるとともに上方側となるにつれて後方位置となる傾斜構造をなし、傾斜部４１Ｃは、傾斜部４１Ａの下方に配置されるとともに下方側となるにつれて後方位置となる傾斜構造をなす。対向部４１Ｂは、天板部６の垂下部６Ｂに対向して配置される部分であり、上下方向に延びる垂直壁として構成され、厚さ方向が前後方向となっている。また、前板部４１には、点火スイッチ８５、８７を導出するための開口部４１Ｅ，４１Ｆがそれぞれ形成されている。
【００３２】
図１８、図１９のように、側板部４２Ａの後端部には、凸部９１，９２，９３が後方側に凸となる形態でそれぞれ間隔をあけて形成されており、側板部４２Ｂの後端部には、凸部９４，９５が後方側に凸となる形態で互いに間隔をあけて形成されている。また、下面部４３には、貫通孔部として構成される係止孔部９６、９７が形成されている。
【００３３】
図２、図８のように、前パネル４０の前板部４１は、装置本体１Ａにおけるグリル部１２の右側部分において筐体本体部４の上端部から下端部に及ぶように配置される。そして、図２、図５のように、前パネル４０の後方延出部４４は、前パネル４０が筐体本体部４に装着された起立状態のときに前パネル４０の上端部側の所定位置（具体的には、前板部４０Ａの上端部）から後方側に延出して配置され且つ架設部２２の上面部（上板部２３）の上側に重なって配置される。
【００３４】
図３、図６、図９、図１２のように、梁部材２０の架設部２２は、水平方向に配置される上板部２３と、垂直方向に配置される前板部２４とを備え、上板部２３と前板部２４とがほぼ直角に折れ曲がった構成をなす。上板部２３は、厚さ方向が上下方向とされ、上面が上下方向と直交する平坦面として構成されている。前板部２４は、板状部の一例に相当し、厚さ方向が前後方向とされ、前面が前後方向と直交する平坦面として構成されている。図１のように、天板部６の前端側には、天板部６の上面部６Ａよりも下側に垂れ下がる垂下部６Ｂが形成されており、前板部２４は、垂下部６Ｂの後方側に配置され、垂下部６Ｂと前後に向かい合って配置される。垂下部６Ｂと対向する前板部２４には、２つのスリット２８が形成されており、これらスリット２８は、各操作レバー６４が挿し通され且つ挿し通された操作レバー６４の左右方向の変位を許容する構成をなす。
【００３５】
図２、図８、図１３のように、前パネル４０（前面部）は、上端側の部分（具体的には、前板部４１の対向部４１Ｂ）が架設部２２の前板部２４（板状部）を前側から覆う状態で装着される。前パネル４０の上端側の部分（垂下部６Ｂの裏面部と対向する対向位置の部分）には操作レバー６４が挿し通される第２スリット５２が形成されており、図２、図８、図１３のような装着状態のときには、第２スリット５２の開口領域の少なくとも一部が、前板部２４（板状部）に形成されたスリット２８の開口領域と前後に重なるように配置される。そして、このように前後に重なるスリット２８及び第２スリット５２に挿し通される形で操作レバー６４が配置される。第２スリット５２が形成された対向部４１Ｂは、図１、図７、図１０、図１３のように天板部６が装置本体１Ａに装着されたときに垂下部６Ｂの裏面部から離れて配置されるため、第２スリット５２は、垂下部６Ｂの裏面部とは距離を隔てて対向して配置される。
【００３６】
図２、図３、図１３のように、操作レバー６４は、装置本体６２の前方側に延出するレバー本体６６と、レバー本体６６の先端部に取り付けられるつまみ部材６８とを具備する。
【００３７】
図１３〜図１５のように、レバー本体６６は、ガス量調整装置６０の装置本体６２に組み付けられ、このレバー本体６６の変位に応じて装置本体６２におけるガス供給路の開度が変化する構成をなす。なお、レバー状の部材の変位（左右方向の変位）に応じてガス供給路の開度を変化させる構造は、公知の様々な構造を採用することができる。
【００３８】
図２、図１３のように、つまみ部材６８は、レバー本体６６の先端部に対して前方側から取り付けられるとともに垂下部６Ｂの裏面部と対向して配置される取付部７０と、取付部７０と一体的に構成されるとともに垂下部６Ｂの裏面部と筐体部２の前面部との間を通って取付部７０よりも下方側に延びる下方延設部７２と、下方延設部７２と一体的に構成され且つ垂下部６Ｂの下端部よりも下側の位置で前側に露出して配置されるつまみ部７４とを備える。つまみ部７４は、垂下部６Ｂの下端部よりも下側の位置で前側に突出する突出部７６を有しており、突出部７６と垂下部６Ｂの下端部とが上下に近接して配置されている。
【００３９】
次に、前パネル４０を筐体本体部４に組み付けための構造について説明する。
図３、図１８、図１９のように前パネル４０の後方延出部４４には、一対の係合部４６と、螺子部材５８が挿入される一対の第１螺子孔部５０とがそれぞれ形成されている。一方、架設部２２の上板部２３（上面部）には、後方延出部４４に形成された一対の係合部４６にそれぞれ係合する被係合部２６と、後方延出部４４に形成された一対の第１螺子孔部５０のそれぞれと上下に重なり合う一対の第２螺子孔部３０とが形成されている。
【００４０】
一対の係合部４６は、後方延出部４４の下面部において下方側に突出するように形成された凸部として構成されている。なお、図３等で示す例では、対をなして設けられた係合部４６の表側（上面側）の部分が三角形状の窪みとなっており、それらの窪みの下位置が、図１５の拡大図で示すような係合部４６（凸部）となっている。一方、架設部２２の上板部２３（上面部）には、上板部２３の後端から前方に向けて延びるとともに上板部２３（上面部）を厚さ方向に切り欠いてなる溝部３２が形成されている。そして、溝部３２の前端部が被係合部２６として機能し、前パネル４０が筐体本体部４に装着された起立状態のときに、後方延出部４４が溝部３２の上側に配置され且つ溝部３２の前端部（被係合部２６）が係合部４６（凸部）の前側に配置される係合状態となるように構成されている。
【００４１】
また、図３、図９のように、筐体本体部４における底壁部４Ｄの前端部には、前側且つ上方に突出する一対の係止突起部１０６，１０７が形成されている。また、筐体本体部４における側壁部４Ａの前端部には、係止溝部１０１，１０２，１０３が形成されており、グリル部１２に近接するフレーム部１１０には、係止溝部１０４，１０５が形成されている。なお、フレーム部１１０は、筐体本体部４に固定されるフレーム部分である。
【００４２】
このように構成された筐体本体部４に対して前パネル４０を取り付ける場合、まず、図１６、図１７のように、筐体本体部４の下端部側の係止突起部１０６，１０７を前パネル４０の下面部に形成された係止孔部９６、９７に挿入させて係止状態とする。なお、図１４には、この係止状態のときの前パネル４０を二点鎖線４０Ｚにて仮想的に示している。この係止状態のときには、係止突起部１０６，１０７が係止孔部９６、９７に挿入された状態のまま、係止突起部１０６，１０７付近を支点として前パネル４０を起立させたり傾倒させたりする回動動作が可能となる。このため、図１６の状態から図１７の状態に変化させるように前パネル４０を回動させることが可能となり、これよりもさらに起立させることも可能となる。
【００４３】
そして、前パネル４０を図１７の状態から更に回動させると、前パネル４０の側板部４２Ａに形成された凸部９１，９２，９３がそれぞれ係止溝部１０１，１０２，１０３に挿入されて係止状態となり、側板部４２Ｂに形成された凸部９４，９５がそれぞれ係止溝部１０４，１０５に挿入されて係止状態となる。この係止状態のときには、前パネル４０の後方延出部４４が架設部２２の上板部２３の上側に重なり、後方延出部４４に形成された一対の係合部４６が上板部２３に形成された一対の溝部３２の各前端部（図３等で示す各被係合部２６）と係合する。そして、この係合状態のときには、各溝部３２の前端部（各被係合部２６）に各係合部４６が引っ掛かるため、前パネル４０が前側に倒れないように仮止めされる。
【００４４】
そして、このように一対の係合部４６が一対の被係合部２６（溝部３２の前端部）と係合した係合状態のときには、後方延出部４４に形成された一対の第１螺子孔部５０のそれぞれが、後方延出部４４と接触する上板部２３に形成された一対の第２螺子孔部３０のそれぞれと、孔位置を合わせた状態で上下に重なる。従って、それぞれの位置において、第１螺子孔部５０及び第２螺子孔部３０に挿入するように螺子部材５８を組み付けることで架設部２２と後方延出部４４とを共締めすることができる。なお、図１４では、係止状態で前側に傾倒している前パネル４０を二点鎖線４０Ｚで仮想的に示しており、この傾倒状態から係止突起部１０６，１０７付近を支点としつつ前パネル４０が起立して係合部４６と被係合部２６とが係合し且つ螺子部材５８によって架設部２２と後方延出部４４とが共締めされた状態の前パネル４０を実線にて示している。
【００４５】
以下、本構成の効果を例示する。
本構成のコンロ１は、天板部６の前端側の所定位置に、天板部６の上面部６Ａよりも下側に垂れ下がる垂下部６Ｂが形成され、筐体部２の前面部（前パネル４０）の上端部側において垂下部６Ｂの裏面部と対向する対向位置には、操作レバー６４が挿し通されるスリット（第２スリット５２）が形成されている。このような形でスリット（第２スリット５２が形成されているため、筐体部２内の調整装置（ガス量調整装置６０）に組み込まれた操作レバー６４を変位可能な形で外部に導くことができ、筐体部２の外部から当該調整装置に対して操作力を伝達することが可能となる。また、操作レバー６４が挿し通されるスリット（第２スリット５２）は、天板部６に形成された垂下部６Ｂに隠れた形で配置されるため、スリット（第２スリット５２）が前側から見えにくくなり、スリットが丸見えになることに起因する美観の低下が抑えられる。更には、スリット（第２スリット５２）が垂下部６Ｂの裏面部と対向して配置されるため、天板部６の上面部６Ａから垂下部６Ｂ側に煮汁等の異物が落下又は流下したとしても、この異物がスリット（第２スリット５２）内に入り込みにくくなる。
【００４６】
更に、つまみ部材６８は、レバー本体６６の先端部に対して前方側から取り付けられるとともに垂下部８Ｂの裏面部と対向して配置される取付部７０と、取付部７０と一体的に構成されるとともに垂下部６Ｂの裏面部と筐体部２の前面部（前パネル４０）との間を通って取付部７０よりも下方側に延びる下方延設部７２と、下方延設部７２と一体的に構成され且つ垂下部６Ｂの下端部よりも下側の位置で前側に露出して配置されるつまみ部７４とを含んでいる。このように、つまみ部７４が垂下部６Ｂの下端部よりも下側の位置で前側に露出して配置されるため、垂下部６Ｂによってスリット（第２スリット５２）を隠しつつ外部操作容易な形で操作レバー６４を配置することができる。また、つまみ部材６８は、レバー本体６６の先端部に対して前方側から取り付けられる構成で取付部７０が設けられているため、つまみ部材６８をレバー本体６６から取り外すためには取付部７０をレバー本体６６の先端部から前方側に離脱させなければならないが、垂下部６Ｂの裏面部と筐体部２の前面部（前パネル４０）との間を通って下方側に延びる形で下方延設部７２が設けられているため、つまみ部材６８を前方側に移動させて取付部７０をレバー本体６６から取り外すことは困難となる。つまり、つまみ部材６８がレバー本体６６から外れてしまうことを防ぎやすくなる。
【００４７】
また、つまみ部７４は、垂下部６Ｂの下端部よりも下側の位置で前側に突出する突出部７６を有している。そして、突出部７６と垂下部６Ｂの下端部とが上下に近接して配置されている。この構成によれば、垂下部６Ｂの下端部を目印としてつまみ部材６８の位置を把握しやすくなり、つまみ部材６８をつまみやすくなるため、操作性が向上する。
【００４８】
＜他の実施例＞
本発明は上記記述及び図面によって説明した実施例に限定されるものではなく、例えば次のような例も本発明の技術的範囲に含まれる。また、上述した実施例や後述する実施例の特徴は矛盾しない範囲でどのように組み合わせてもよい。
【００４９】
実施例１のコンロ１は右側バーナ１５及び左側バーナ１６を備えるものであるが、バーナの数はこれに限定されず、多くても少なくてもよい。
【００５０】
実施例１のコンロ１はテーブルコンロであるが、ビルトインコンロ等であってもよい。
【符号の説明】
【００５１】
１…コンロ
２…筐体部
４…筐体本体部
４Ａ，４Ｂ…側壁部
６…天板部
６Ｂ…垂下部
１０…ガスバーナ
１２…グリル部
２０…梁部材
２２…架設部
２４…前板部（板状部）
２６…被係合部
２８…スリット
３０…第２螺子孔部
３２…溝部
４０…前パネル（前面部）
４４…後方延出部
４６…係合部
５０…第１螺子孔部
５２…第２スリット
５８…螺子部材
６０…ガス量調整装置
６２…装置本体
６４…操作レバー
６６…レバー本体
６８…つまみ部材
７０…取付部
７２…下方延設部
７４…つまみ部
７６…突出部
【図１】
2018021690.tif 000003
【図２】
2018021690.tif 000004
【図３】
2018021690.tif 000005
【図４】
2018021690.tif 000006
【図５】
2018021690.tif 000007
【図６】
2018021690.tif 000008
【図７】
2018021690.tif 000009
【図８】
2018021690.tif 000010
【図９】
2018021690.tif 000011
【図１０】
2018021690.tif 000012
【図１１】
2018021690.tif 000013
【図１２】
2018021690.tif 000014
【図１３】
2018021690.tif 000015
【図１４】
2018021690.tif 000016
【図１５】
2018021690.tif 000017
【図１６】
2018021690.tif 000018
【図１７】
2018021690.tif 000019
【図１８】
2018021690.tif 000020
【図１９】
2018021690.tif 000021